(57)【特許請求の範囲】
【請求項１】
ダッシュボード、中央コンソール、ドアパネル又は同様のものに配置された、飲料容器のためのホルダにおいて、
飲料容器を挿入するための挿入開口が設けられた保持部と、
該保持部の下方に、該保持部から間隔を置いて配置された支持部とを有しており、該支持部上に飲料容器が配置されるようになっており、保持部及び支持部が、ダッシュボード、中央コンソール、ドアパネル又は同様のものに配置されたガイドを有しており、該ガイドによって、保持部及び支持部が、引き込まれた基本位置から、延長された使用位置へ可動に案内されている形式のものにおいて、
ホルダ（１０）が容器（２８）を有しており、該容器が、保持部（１４）と支持部（１８）との間に配置されておりかつガイドを有しており、該ガイドによって容器（２８）が、引き込まれた基本位置から、延長した使用位置にまで可動に案内されていることを特徴とする、飲料容器のためのホルダ。
【請求項２】
前記保持部（１４）及び支持部（１８）と、容器（２８）とが基本位置にある場合、該容器が、保持部（１４）及び支持部（１８）内に配置されるようになっている、請求項１記載のホルダ。
【請求項３】
前記容器（２８）が、保持部（１４）と支持部（１８）との間のレベルに配置されている、請求項１記載のホルダ。
【請求項４】
前記保持部（１４）と前記支持部（１８）とが互いに結合されている、請求項１記載のホルダ。
【請求項５】
前記保持部（１４）が、前記支持部（１８）と一体的に形成されている、請求項４記載のホルダ。
【請求項６】
前記保持部（１４）と前記支持部（１８）とが、ガイドとしての旋回支承部を有している、請求項１記載のホルダ。
【請求項７】
前記容器（２８）が、摺動ガイドを有している、請求項１記載のホルダ。
【請求項８】
前記容器（２８）が、ガイドとしての旋回支承部を有している、請求項１記載のホルダ。
【請求項９】
前記容器（２８）が、収納室又は灰皿である、請求項１記載のホルダ。
【発明の詳細な説明】
【０００１】
本発明は、請求項１の上位概念部の特徴を有する、飲料容器、例えば缶、ビーカ又はカップのためのホルダに関する。
【０００２】
自動車に装備するためのこのような種類のホルダは、極めて多くの構造形式で自体公知である。公知のホルダは、飲料容器を挿入するための挿入開口を有する保持部と、保持部の下方にこの保持部から間隔を置いて配置された、例えば平坦又は棒状の支持部とを有しており、この支持部上に、挿入開口に挿入された飲料容器が起立する。ホルダが使用位置へ延長、外方旋回又は引き出すことができるように、ホルダにガイドを設けることが知られている。ホルダが不要な場合、ホルダは、例えば自動車のドアパネル又はダッシュボード内の引き込まれた位置へ移動させることができる。ガイドは、例えば、ホルダが引出し形式で引き出されることができるようにホルダをガイドする摺動ガイドであるか、旋回支承部であることができ、この旋回支承部によってホルダをドアパネル、ダッシュボード又は同様のものから外方旋回させることができる。
【０００３】
前記の種類のホルダから出発して、本発明は、ホルダのために必要な装着空間をうまく利用するという課題に基づく。
【０００４】
この課題は、本発明によれば請求項１の特徴によって解決された。本発明によるホルダは、容器、例えば、ホルダと一体的に形成された収納室又は灰皿を有している。本願で言う「一体的に形成された」とは、容器、保持部及び支持部が基本位置にある場合に、容器が、保持部と支持部とが配置されている装着空間と同じ装着空間に配置されることを意味する。すなわち、容器は、保持部と支持部との間に配置されているか、逆に、保持部と支持部とが容器内に配置されている。その結果、容器と、保持部及び支持部とを収容するための同じ装着空間が使用される。したがって、本発明によるホルダのために必要な装着空間は、容器を備えない保持部及び支持部のために必要な装着空間よりも、大きくないか、僅かに大きいだけである。その結果、本発明は、保持部及び支持部のために使用されていない装着空間が、付加的に容器を収容するために使用されるという利点を有する。本発明によるホルダは、容器内に配置された内容物が、飲料容器が保持部の挿入開口内に挿入されること及び支持部上に配置されることを妨害しないので有利である。本発明の実施例では、容器は、飲料容器のための挿入開口を有する保持部と、飲料容器のための支持部との間のレベルに配置されている。
【０００５】
本発明によるホルダの保持部及び支持部は、互いに結合されているので有利である。保持部及び支持部は、特に、常時連動するように互いに一体的に形成されている。原則として、保持部及び支持部のための共通のガイドで十分である。
【０００６】
本発明は、図面に示された２つの典型的な実施例を引用して以下にさらに詳細に説明される。
【０００７】
図１−３は、本発明によるホルダの第１の構造形式を３つの異なる位置において示している；
図４及び５は、図１−３に示したホルダの概略的かつ単純化された形式での平面図を示しており、図４に示した位置は図２に示した位置に相当し、図５に示した位置は図３に示した位置に相当する；
図６−８は、本発明によるホルダの第２の構造形式を３つの異なる位置において示している；
図９及び図１０は、それぞれ図６−８に示したホルダの概略的かつ単純化された形式での平面図を示しており、図９に示した位置は図７に示した位置に相当し、図１０に示した位置は図８に示した位置に相当する；
図１１及び図１２は、本発明によるホルダの第３の構造形式を２つの異なる位置において示している；
図１３−１５は、それぞれ図１１及び１２に示したホルダの概略的かつ単純化された形式での横断面図を示しており、図１４に示した位置は図１１に示した位置に相当し、図１５に示した位置は図１２に示した位置に相当し、図１３はホルダの別の位置を示している。
【０００８】
図１〜図５に示された本発明によるホルダ１０は、例えば自動車（図示せず）のダッシュボード１２に装備される。ホルダ１０は、飲料容器（図示せず）、例えば缶、ビーカ又はカップの挿入及び保持のためのものである。図１に示された基本位置では、ホルダ１０はダッシュボード１２内に引き込まれておりかつダッシュボード内に収容されている。ホルダはダッシュボード１２の表面と同一平面を成している。図２及び図４では、ホルダ１０は使用位置へ移動させられており、ホルダはダッシュボード１２の前方に配置されており、飲料容器を挿入及び保持するために使用することができる。図２及び図４から分かるように、ホルダ１０は、保持部として、円形リングの一部として構成されかつ完全な円の４分の３に亘って延びた保持リング１４を有している。保持リング１４は、飲料容器（図示せず）を挿入するための挿入開口１６を包囲している。
【０００９】
保持リング１４の下方には、保持リングから間隔を置いて、ホルダ１０は支持プレート１８を有しており、支持プレート１８は、ホルダ１０の支持部１８を形成している。保持リング１４と支持プレート１８とは鉛直方向のパネル２０によって互いに一体的に結合されている。パネル２０は、矩形の開口２２を有する矩形のフレームとして形成されている。
【００１０】
ホルダ１０は、旋回ピンを有する旋回支承部（図示せず）として形成されたガイドを有しており、旋回ピンは、パネル２０の一方の側において上方及び下方へ突出しておりかつダッシュボード１２に設けられた支承孔に配置されている。ホルダ１０は、旋回支承部によって、鉛直方向の旋回軸線２４を中心にして旋回可能にダッシュボード１２において案内されている。有利にはばねの動作により、ホルダ１０は、図２及び図４に示された使用位置へ旋回し、自体公知のロッキング装置、例えばいわゆるプッシュプッシュ機構によって、図１に示されたダッシュボード１２内に引き込まれた位置に保持される。旋回軸線２４とは反対側の、パネル２０の側に設けられたボタン２６（図１）を僅かに押圧することにより、ロッキング装置をロック解除することができ、これにより、ホルダ１０は、ダッシュボード１２から、図２及び図４に示された使用位置へ外方旋回する。
【００１１】
本発明によるホルダ１０には容器が一体的に形成されており、この容器は、図示した典型的な実施例では、収納室２８である。平面図では、収納室２８は細長い矩形である。前方の端面においては、収納室２８は、ホルダ１０のパネル２０に設けられた開口２２と同じサイズの鉛直のパネル３０を有している。収納室２８及びホルダ１０が基本の引き込まれた位置にある場合、収納室２８のパネル３０及びホルダ１０のパネル２０は、一方が他方の内側において同一平面になるように配置されかつ、ダッシュボード１２と同一平面を成す（図１）。収納室２８は、ホルダ１０の保持リング１４と支持プレート１８との間のレベルに配置されている。収納室２８は、摺動ガイド（図示せず）を有している。図３及び図５に示したように、収納室２８は、引出しの形式で引き出される又は延長されることができる。収納室２８は、ばね動作によって延長されると有利である。収納室２８は、ロッキング装置（図示せず）、例えば自体公知のプッシュプッシュ機構によって、ダッシュボード１２内に引き込まれた基本位置に保持され、ロッキング装置は、収納室２８のパネル３０を僅かに押圧することによってロック解除することができる。ホルダ１０及び収納室２８は、図２〜図５に示したように、望みに応じて、個々の使用位置へ移動させ、使用することができる。
【００１２】
図６〜図１０に示した本発明によるホルダ１０の構造形式の説明において、対応する参照符号は以下で、図１〜図５に示したものと同一の構成部材に対して用いられている。図６〜図１０に示したホルダ１０は、ホルダ１０内に配置された収納室２８を有している。ホルダ１０及びホルダ１０内に配置された収納室２８は、平面図では、ほぼ円の４分の１の扇形を有している。ホルダ１０は、平面図では円の４分の１の形状である一種のケーシングとして形成されており、ホルダの上面は、保持部１４を形成しており、ホルダ１０の基部１８は、ホルダ１０の支持部１８を形成している。ホルダ１０の上面１４と基部１８とは、一種のケーシングを形成するように、前記のように側壁３２及びフロントパネル２０とによって互いに一体的に結合されている。ホルダ１０の保持部１４を形成した上面は、開口を有しており、開口は一箇所において側壁３２内へ延びている。開口は、飲料容器（図示せず）を挿入するための挿入開口１６を形成している。挿入開口１６の一箇所において、自体公知の補償フラップ３４が配置されており、補償フラップ３４は、ばね負荷されており、ばね作用によって挿入開口１４内へ旋回し、挿入された飲料容器に対して押圧される。補償フラップ３４は、種々異なる直径の飲料容器にホルダ１０を適応させるために働く。
【００１３】
ホルダ１０は、ダッシュボード１２に設けられた支承孔に配置された、ホルダ１０における旋回ピンを有する旋回支承部３６として形成されたガイドを有しており、この旋回支承部によって、ホルダ１０は、図６に示された、ダッシュボード１２内に引き込まれた位置から、図７及び図９に示された、ダッシュボード１２から突出した使用位置にまで、９０゜だけ旋回することができる。使用位置においては、ホルダ１０はダッシュボード１２の前方に配置され、飲料容器（図示せず）をホルダ１０の挿入開口１６に挿入することができる。ホルダは、ばね動作によって、例えばねじりばねエレメント（図示せず）によって、使用位置へ旋回させられると有利である。ホルダ１０は、ロッキング装置（図示せず）、例えば自体公知のプッシュプッシュ機構によって基本位置に保持されており、ロッキング装置は、ホルダ１０のためのロック解除ボタン２６を僅かに押圧することによってロック解除することができる。
【００１４】
ホルダ１０のパネル２０は、矩形の開口を有する矩形のフレームの形状を有しており、矩形の開口には、図６に示したようにホルダ１０及び収納室２８がダッシュボードに引き込まれた基本位置に配置されている場合に、収納室２８のパネル３０が、同一平面を成すように配置される。収納室２８は同様に旋回支承部として形成されたガイド（図示せず）を有しており、ガイドの旋回軸線２４は、ホルダ１０の旋回軸線２４と一致する。収納室２８は、ホルダ１０と同じ旋回軸線２４を中心に９０゜だけ、ダッシュボード１２に引き込まれた基本位置から、図８及び図１０に示したようなダッシュボード１２から突出した使用位置へ旋回することができる。外方旋回はばね動作によって行われると有利である。収納室２８は、ロッキング装置、例えば自体公知のプッシュプッシュ機構によって、引き込まれた基本位置に保持され、ロッキング装置は、ボタン３８を僅かに押圧することによってロック解除することができる。図６〜図１０に示した本発明によるホルダ１０の場合、ホルダ１０又は収納室２８は同様に、望みに応じて、ダッシュボード１２から使用位置へ外方旋回され、使用されることができる。
【００１５】
図１１〜図１５に示された本発明によるホルダ１０の典型的な実施例の説明において、対応する参照符号は、図１〜図５及び／又は図６〜図１０と同じ構成部材に対しても使用されている。図１１〜図１５に示したホルダは、自動車（図示せず）において、後部座席乗員に対してアクセス可能な、中央コンソール４０の後端部に装備されている。ホルダ１０は、ホルダ１０の容器を形成した収納室２８を有している。収納室２８は、２つの壁部４２を有しており、これらの壁部４２は、互いに直角に配置されておりかつ、互いに隣接して共通の縁部又は面取り部を形成している。端面において、壁部４２は、４分の１ディスク形状の端壁４４によって互いに結合されている。
【００１６】
収納室２８は、収納室２８の２つの壁部４２の共通の縁部に沿って延びた、水平旋回軸線２４を中心に旋回することができる。旋回支承部のために、収納室２８は、横方向に配置されたピンを有するピン支承部３６（図１３〜図１５）を有しており、ピンは旋回軸線２４を規定している。収納室２８は、図１１、図１３及び図１４に示された基本位置から、９０゜よりも僅かに小さな角度だけ、図１２及び図１５に示された使用位置にまで外方旋回することができる。基本位置においては、収納室２８は中央コンソール４０内に引き込まれており、壁部４２のうちの一方が中央コンソール４０と同一平面を成す。使用位置においては、収納室２８は、中央コンソール４０の後端部から突出し、対象物を出し入れすることができるように開放する。
【００１７】
収納室２８は、保持部１４及び保持部と一体的な支持部１８とに配置されている。保持部１４及び支持部１８は相俟って、ほぼ円の４分の１の扇形を有するボディを形成しており、ボディには収納室２８が配置されている。保持部１４及び支持部１８は、ピン支承部３６によって旋回軸線２４を中心に約９０゜だけ旋回することができる。ピン支承部３６及び旋回軸線２４は、収納室２８と、保持部１４と、支持部１８とに共通である。図１２、図１３及び図１５に示された基本位置においては、保持部１４は中央コンソール４０内へ引っ込められ、支持部１８が中央コンソール４０の後端部と同一平面を成す。収納室２８も基本位置にある場合、支持部１８も収納室２８の一方の壁部４２と同一平面を成す（図１３）。図１１及び図１４に示された使用位置においては、保持部１４及び支持部１８は、中央コンソール４０の後端部から突出し、使用位置においては、支持部１８はほぼ水平な向きを占める。
【００１８】
保持部１４には、互いに隣接して配置された２つの円形の開口が設けられており、これらの開口は、飲料容器、例えば図１１及び図１４に示された瓶４８のための挿入開口１６を形成している。飲料容器は支持部１８の上に起立する。
【００１９】
支持部１８は、矩形の切欠き５０を有しており、この切欠きの形状及びサイズは、収納室２８の一方の壁部４２に相当する。収納室２８と、保持部１４及び支持部１８とが、中央コンソール４０内に引き込まれた基本位置に配置されている場合、収納室２８の壁部４２は、支持部１８に設けられた切欠き５０内に配置され、支持部１８と同一平面を成す。収納室２８と、保持部１４及び支持部１８とは、互いの位置に拘わらず、使用位置及び基本位置へ旋回することができる。収納室２８内に配置された物品は、収納室２８が図１１及び図１４に示したような基本位置にある場合に、保持部１４の挿入開口１６内への飲料容器の挿入を妨害しない。
【図面の簡単な説明】
【図１】  本発明によるホルダの第１の構造形式を示した図である。
【図２】  本発明によるホルダの第１の構造形式を示した図である。
【図３】  本発明によるホルダの第１の構造形式を示した図である。
【図４】  図１−３に示したホルダの概略的かつ単純化された形式での平面図を示している。
【図５】  図１−３に示したホルダの概略的かつ単純化された形式での平面図を示している。
【図６】  本発明によるホルダの第２の構造形式を示す図である。
【図７】  本発明によるホルダの第２の構造形式を示す図である。
【図８】  本発明によるホルダの第２の構造形式を示す図である。
【図９】  図６−８に示したホルダの概略的かつ単純化された形式での平面図である。
【図１０】  図６−８に示したホルダの概略的かつ単純化された形式での平面図である。
【図１１】  本発明によるホルダの第３の構造形式を示す図である。
【図１２】  本発明によるホルダの第３の構造形式を示す図である。
【図１３】  図１１及び１２に示したホルダの概略的かつ単純化された形式での横断面図を示している。
【図１４】  図１１及び１２に示したホルダの概略的かつ単純化された形式での横断面図を示している。
【図１５】  図１１及び１２に示したホルダの概略的かつ単純化された形式での横断面図を示している。
【符号の説明】
１０  ホルダ、  １２  ダッシュボード、  １４  保持リング、  １６  挿入開口、  １８  支持プレート、  ２０  パネル、  ２４  旋回軸線、  ２６  ボタン、  ２８  収納室、  ３０  鉛直パネル、  ３２  側壁、  ３４  補償フラップ、  ３６  旋回支承部、  ４０  中央コンソール、  ４２  壁部、  ５０  切欠き
【図１】
0003802421.tif 000002
【図２】
0003802421.tif 000003
【図３】
0003802421.tif 000004
【図４】
0003802421.tif 000005
【図５】
0003802421.tif 000006
【図６】
0003802421.tif 000007
【図７】
0003802421.tif 000008
【図８】
0003802421.tif 000009
【図９】
0003802421.tif 000010
【図１０】
0003802421.tif 000011
【図１１】
0003802421.tif 000012
【図１２】
0003802421.tif 000013
【図１３】
0003802421.tif 000014
【図１４】
0003802421.tif 000015
【図１５】
0003802421.tif 000016